(57)【特許請求の範囲】
【請求項１】
複数枚の壁板を躯体への取付け部材となる複数のフレーム材で一体化してあるパネルユニットを、前記躯体に取付けて壁体を構築するパネルユニット取付け方法であって、
前記フレーム材は、上部フレーム材及び下部フレーム材を有し、そのうち、前記上部フレーム材が前記パネルユニットに取付けられているとともに、前記下部フレーム材を前記躯体の所定位置に先行して取付け、前記下部フレーム材を用いて位置決めしながら前記パネルユニットを前記躯体に固定し、
前記下部フレーム材には、前記パネルユニットの下端面を受け止め支持可能な受け面が備えられ、前記パネルユニットの後面側の下方側部位には、前記下部フレーム材に引っ掛け可能な引っ掛け部材が備えられ、
前記引っ掛け部材は、下方側に延びる部位が前記パネルユニットの後面部との間に隙間を形成する状態で、前記パネルユニットの後面部に固定され、
前記パネルユニットの前記躯体への固定において、前記パネルユニットを前記下部フレーム材に組み付ける際に、前記パネルユニットの下面部を前記下部フレーム材の前記受け面上に載置させる過程で、前記引っ掛け部材を前記下部フレーム材に引っ掛け、前記上部フレーム材を前記躯体に固定する際に、先行して前記躯体の所定位置に中間材を取付け、前記中間材を用いて前記上部フレーム材を位置決めしながら、前記上部フレーム材を前記躯体に固定するパネルユニット取付け方法。
【請求項２】
前記パネルユニットには、前記複数枚の壁板を一体化し、且つ、外装材の取付け部となる外装下地を兼用する連結部材が備えられている請求項１に記載のパネルユニット取付け方法。
【発明の詳細な説明】
【技術分野】
【０００１】
本発明は、複数枚の壁板を並設したパネルユニットを躯体に取付けるパネルユニット取付け方法に関する。
【背景技術】
【０００２】
この種のパネルユニットは、複数枚の壁板を縦長姿勢で横幅方向に並設し、パネルユニットの上端部及び下端部にフレーム材を取付けて、パネルユニットの一体化を図る。そして、従来、クレーン等の揚重機によりパネルユニットを所定位置まで吊上げ、パネルユニットに取付けたフレーム材を躯体側に固定して、パネルユニットを躯体の所定位置に取付ける取付け方法が知られている（例えば、特許文献１参照。）。
【０００３】
また、パネルユニットの一体化については、複数枚の壁板を横長姿勢で上下方向に並設し、パネルユニットの上下方向の両端部及びパネルユニットの横幅方向の両端部にフレーム材を取付けて、パネルユニットの一体化を図るものもある。このパネルユニットも、上記特許文献１に記載の取付け方法と同じ方法によって、躯体の所定位置に取付ける（例えば、特許文献２参照。）。
【先行技術文献】
【特許文献】
【０００４】
【特許文献１】特許第４４１２８３８号公報
【特許文献２】特開平６−３０６９７９号公報
【発明の概要】
【発明が解決しようとする課題】
【０００５】
上記特許文献１、２に記載の取付け方法では、パネルユニットを所定位置に取付けるに当たり、揚重機にて所定位置付近までパネルユニットを吊上げ、その吊上げ状態でパネルユニットを躯体側の取付け対象となる所定位置に位置調整する位置決めを行いながら、フレーム材を躯体側に取付ける作業が求められる。よって、パネルユニットの取付け作業が行い難く、パネルユニットの取付け作業に要する時間が長くなり、パネルユニットの取付け時間及び揚重機の拘束時間が長くなる。
【０００６】
この実情に鑑み、本発明の主たる課題は、パネルユニットの取付け時間及び揚重機の拘束時間の短縮化を図ることができるパネルユニット取付け方法を提供する点にある。
【課題を解決するための手段】
【０００７】
本発明の第１特徴構成は、複数枚の壁板を躯体への取付け部材となる複数のフレーム材で一体化してあるパネルユニットを、前記躯体に取付けて壁体を構築するパネルユニット取付け方法であって、
前記フレーム材は、上部フレーム材及び下部フレーム材を有し、そのうち、前記上部フレーム材が前記パネルユニットに取付けられているとともに、前記下部フレーム材を前記躯体の所定位置に先行して取付け、前記下部フレーム材を用いて位置決めしながら前記パネルユニットを前記躯体に固定し、
前記下部フレーム材には、前記パネルユニットの下端面を受け止め支持可能な受け面が備えられ、前記パネルユニットの後面側の下方側部位には、前記下部フレーム材に引っ掛け可能な引っ掛け部材が備えられ、
前記引っ掛け部材は、下方側に延びる部位が前記パネルユニットの後面部との間に隙間を形成する状態で、前記パネルユニットの後面部に固定され、
前記パネルユニットの前記躯体への固定において、前記パネルユニットを前記下部フレーム材に組み付ける際に、前記パネルユニットの下面部を前記下部フレーム材の前記受け面上に載置させる過程で、前記引っ掛け部材を前記下部フレーム材に引っ掛け、前記上部フレーム材を前記躯体に固定する際に、先行して前記躯体の所定位置に中間材を取付け、前記中間材を用いて前記上部フレーム材を位置決めしながら、前記上部フレーム材を前記躯体に固定する点にある。
【０００８】
本特徴構成によれば、複数のフレーム材の一部だけをパネルユニットに取付け、複数のフレーム材の残部を躯体の所定位置に先行して取付けるので、そのフレーム材の残部を基準として、パネルユニットの位置調整を行いながら、躯体にパネルユニットを取付けることができる。これにより、パネルユニットの位置決めを簡易に且つスムーズに行うことができるので、精度よく位置決めした状態でパネルユニットを躯体に固定できながら、パネルユニットの取付け時間及び揚重機の拘束時間の短縮化を図ることができる。
【００１０】
本特徴構成によれば、上部フレーム材によってパネルユニットの一体化を図ることができ、パネルユニットの上部側を揚重機にて所定位置まで吊上げることができるので、上部フレーム材を有効に活用して、揚重機にて吊上げたパネルユニットの姿勢の安定化を図ることができる。しかも、躯体に先行して下部フレーム材を取付けるので、パネルユニットの下端側を位置決めした状態で、パネルユニットの建ち精度の調整を行うことも可能であり、パネルユニットの建ち精度も含めた位置決めを簡易に且つ精度よく行うことができる。
【００１２】
本特徴構成によれば、下部フレーム材の受け面にてパネルユニットの下端面を受け止め支持しながら、パネルユニットを躯体に取付けることができるので、パネルユニットの下端側の取付け、及び、パネルユニットの建ち精度の調整を効率よく行うことができ、パネルユニットの取付け作業をより簡易に且つスムーズに行うことができる。
本発明の第２特徴構成は、前記パネルユニットには、前記複数枚の壁板を一体化し、且つ、外装材の取付け部となる外装下地を兼用する連結部材が備えられている点にある。
【図面の簡単な説明】
【００１３】
【図１】パネルユニットを躯体に取付けた状態を示す斜視図
【図２】躯体に取付けた状態のパネルユニットの後面図
【図３】パネルユニットを躯体に取付けた状態を示す断面図
【図４】パネルユニットの躯体への取付け途中を示す斜視図
【図５】躯体へ取付ける前のパネルユニットの吊上げ状態を示す図
【図６】パネルユニットの躯体への取付け過程を示す斜視図
【図７】パネルユニットの躯体への取付け過程を示す断面図
【発明を実施するための形態】
【００１４】
本発明に係るパネルユニットの取付け方法の実施形態を図面に基づいて説明する。
パネルユニット１は、図１〜図３に示すように、複数枚の壁板２を横幅方向に並設し、その上端部に上部フレーム材３を設けるとともに、その下端部に下部フレーム材４を設けることで、複数枚の壁板２からなるパネルユニット１を一体化して躯体１００側に取付ける。そして、図示は省略するが、複数のパネルユニット１を躯体１００に取付けることで、建物の壁を構築する。図１（ａ）は、パネルユニット１を躯体１００に取付けた状態でのパネルユニット１の前面側から見た斜視図であり、図１（ｂ）は、パネルユニット１を躯体１００に取付けた状態でのパネルユニット１の後面側から見た斜視図である。
【００１５】
建物は、鉄骨や鉄筋コンクリートの柱や横梁等を有する躯体１００から構成され、上下方向に間隔を隔てて横方向に延びる躯体１００側の２つの横架材１０１に亘る姿勢でパネルユニット１が取付けられている。パネルユニット１は、その前面側が建物の外方側となり、且つ、その後面側が建物の内方側となる姿勢で取付けられている。
【００１６】
壁板２は、例えば、ＡＬＣ板等のセメント系長方形板にて構成されている。壁板２は、所定高さ（例えば、建物の階高に対応する高さ）を有する縦長形状に形成され、縦長姿勢で横幅方向に複数並設して１つのパネルユニット１が構成されている。パネルユニット１における壁板２の枚数は適宜変更が可能であり、壁板２の形状や大きさについても適宜変更が可能である。
【００１７】
上部フレーム材３は、図３に示すように、パネルユニット１の前後方向に延びる上壁部３ａとその上壁部３ａの後端部から下方側に延びる後壁部３ｂとを有するＬ字状のアングル材にて構成され、パネルユニット１の横幅方向の全長に亘る長さを有する。上部フレーム材３は、後壁部３ｂをパネルユニット１の後面部に当接させる状態で、パネルユニット１の上端部に取付けられている。
【００１８】
下部フレーム材４は、パネルユニット１の前後方向に延びる下壁部４ａとその下壁部４ａの後端部から上方側に延びる後壁部４ｂとを有するＬ字状のアングル材にて構成され、パネルユニット１の横幅方向の全長に亘る長さを有する。下部フレーム材４は、下壁部４ａをパネルユニット１の下面部に当接させ且つ後壁部４ｂをパネルユニット１の後面部に当接させる状態で、パネルユニット１の下端部に取付けられている。
【００１９】
上部フレーム材３及び下部フレーム材４は、パネルユニット１を一体化するフレーム材として構成されているとともに、パネルユニット１の躯体１００側への取付け部材としても構成されている。つまり、上部フレーム材３及び下部フレーム材４にてパネルユニット１を一体化し、その一体化されたパネルユニット１において上部フレーム材３及び下部フレーム材４を躯体１００の横架材１０１に固定して、パネルユニット１を一体化して躯体１００に固定する。
【００２０】
パネルユニット１の後面側には、図２に示すように、上部フレーム材３と下部フレーム材４の両端部同士を繋ぐ連結フレーム材９が設けられている。この連結フレーム材９は、Ｌ字状のアングル材にて構成され、パネルユニット１の側面部と後面部とに亘って当接させる状態でパネルユニット１の横幅方向の両端部の夫々に配設されている。連結フレーム材９は、上部フレーム材３と下部フレーム材４との間に配設され、上下方向の両端部が上下の連結材１０にて上部フレーム材３及び下部フレーム材４に連結されている。
【００２１】
パネルユニット１の前面側には、図１（ａ）及び図３に示すように、外装材５（例えば、金属化粧板）の取付け部となる下地材６が取付けられている。図１（ａ）では、外装材５を省略して図示する。下地材６は、パネルユニット１の上下方向の全長に亘る複数の縦材６ａと、パネルユニット１の横幅方向の全長に亘る複数の横材６ｂとを備えている。縦材６ａは、複数枚の壁板２の夫々に対応する形態で、パネルユニット１の横幅方向に一定間隔を隔てて複数配設され、横材６ｂは、パネルユニット１の上下方向に一定間隔を隔てて複数配設され、パネルユニット１に対して縦材６ａと横材６ｂとで格子状に配設されている。縦材６ａは、ボルトナット等の締結具（図３中点線参照、他の図面では省略する）を用いてＬ字状の複数の第１支持材７を介してパネルユニット１の前面部に固定されている。横材６ｂは、ボルトナット等の締結具を用いてＬ字状の複数の第２支持材８を介して縦材６ａに固定されている。縦材６ａと横材６ｂとからなる下地材６は、複数枚の壁板２からなるパネルユニット１を一体化するとともに、外装材５の取付け部となる外装下地を兼用する連結部材として構成されている。
【００２２】
以下、パネルユニット１の躯体１００への取付け方法について説明する。
まず、パネルユニット１のうち、下部フレーム材４を除く部材を組み立てる地組作業と、躯体１００側に下部フレーム材４を先行して取付ける下部フレーム材取付け作業とを行う。この地組作業と下部フレーム材取付け作業については、２つの作業を同時に併行して行うのに限らず、地組作業と下部フレーム材取付け作業のどちらか一方の作業を先に行った後、他方の作業を行うようにしてもよい。
【００２３】
次に、地組作業にて組み立てたパネルユニット１をクレーン等の揚重機１９（図５参照）により躯体１００側の所定位置まで吊上げる揚重作業を行い、最後に、吊上げたパネルユニット１を躯体１００側の所定位置に取付けるユニット取付け作業を行う。ここで、ユニット取付け作業を行うに当たり、躯体１００側に上部フレーム材３を取付けるための中間材を先行して躯体１００側に取付ける上部準備作業を行った上で、ユニット取付け作業を行う。
【００２４】
地組作業では、複数枚の壁板２を横幅方向に並設したパネルユニット１の上端部に上部フレーム材３をボルトナット等の締結具１１（図２、図３参照）にて固定してパネルユニット１を一体化する。締結具１１は、複数枚の壁板２の夫々に対応して配設され、上部フレーム材３にて複数枚の壁板２の夫々を固定して一体化を図る。そして、上部フレーム材３に対して、溶接等により連結材１０を介して左右の連結フレーム材９（図２参照）を取付ける。また、上部フレーム材３の取付けに加えて、パネルユニット１の前面側に下地材６（図１（ａ）及び図３参照）を取付けることで、複数枚の壁板２同士をより強固に固定する。上述の如く、下地材６は、図３に示すように、第１支持材７を用いてパネルユニット１の前面部に縦材６ａを固定し、その縦材６ａに対して第２支持材８を用いて横材６ｂを固定する。地組作業にて組み立てを完了したパネルユニット１が、図５にて示す吊上げ状態のパネルユニット１となる。ちなみに、複数枚の壁板２同士の目地部分には、目地材を介在させて防水処理を施す。
【００２５】
下部フレーム材取付け作業では、図４（ｂ）に示すように、パネルユニット１の取付け対象の所定位置における下方側の横架材１０１に下部フレーム材４を先行して取付ける。下部フレーム材４には、その長手方向に間隔を隔てて複数の第１中間材１２を溶接等により固定する。横架材１０１の下端部には、横架材１０１の長手方向に間隔を隔てて複数の第２中間材１３を溶接等により固定しておき、複数の第２中間材１３の夫々に複数の第１中間材１２の夫々を溶接等により固定することで、横架材１０１に下部フレーム材４を固定する。第１中間材１２は、パネルユニット１の前面側を向く縦壁部１２ａとその縦壁部１２ａの上端部から後方側に延びて上方側を向く延設壁部１２ｂとを有するＬ字状に形成され、第２中間材１３は板状に形成されている。第２中間材１３の下面部に第１中間材１２の延設壁部１２ｂを当て付ける状態で、複数の第２中間材１３の夫々に複数の第１中間材１２の夫々を固定する。躯体１００との間に第１中間材１２及び第２中間材１３を介在させる状態で、パネルユニット１の取付け対象の所定位置に対して、下部フレーム材４を精度よく適切な位置に取付けることができる。
【００２６】
ちなみに、下部フレーム材４を取付ける際の中間材等の取付け順序については、上述の順序に限らず、例えば、下部フレーム材４に第１中間材１２を取付け、その第１中間材１２に対して第２中間材１３を取付けた後、横架材１０１に対して第２中間材１３を取付けることで、下部フレーム材４を取付けることもでき、取付け順序については施工状況等に応じて適宜変更できる。
【００２７】
揚重作業では、図５に示すように、上部フレーム材３の上端部に備えられた吊上げ支持部１７（図２参照）にワイヤーや連結部材等の吊上げ具１８を取付け、クレーン等の揚重機１９にて躯体１００における取付け対象の所定位置までパネルユニット１を吊上げる。この実施形態では、吊上げ支持部１７をパネルユニット１の横幅方向に間隔を隔てて２箇所備えているが、その個数や設置箇所については適宜変更が可能である。地組作業にて、上部フレーム材３と下地材６により複数枚の壁板２を固定するので、揚重作業中におけるパネルユニット１の吊上げ姿勢の安定化を図ることができ、揚重作業の簡素化を図ることができる。
【００２８】
上部準備作業では、図４（ａ）に示すように、パネルユニット１の取付け対象の所定位置における上方側の横架材１０１に、その長手方向に間隔を隔てて複数の第３中間材１４を溶接等により固定し、複数の第３中間材１４の夫々に対して第４中間材１５を溶接等により固定する。第３中間材１４は板状に形成され、第４中間材１５は、パネルユニット１の前面側を向く縦壁部１５ａとその縦壁部１５ａの下端部から後方側に延びて下方側を向く延設壁部１５ｂとを有するＬ字状に形成されている。第３中間材１４の上面部に第４中間材１５の延設壁部１５ｂを当て付ける状態で、複数の第３中間材１４の夫々に複数の第４中間材１５の夫々を固定する。躯体１００との間に第３中間材１４を介在させる状態で、パネルユニット１の取付け対象の所定位置に対して、第４中間材１５を精度よく適切な位置に取付けることができる。
【００２９】
ユニット取付け作業では、図６及び図７に示すように、下部フレーム材４上にパネルユニット１を載置させることで、下部フレーム材４にパネルユニット１を組み付けるとともに、溶接等により上部フレーム材３を複数の第４中間材１５の夫々に固定することで、上部フレーム材３を躯体１００側に取付ける。ちなみに、図７は、パネルユニット１の躯体１００への取付け過程を模式的に示したものであり、下地材６等を省略している。パネルユニット１を所定位置に位置決めした状態で、溶接等により連結材１０を介して左右の連結フレーム材９を下部フレーム材４に連結する。先行して取付けた下部フレーム材４を位置決めの基準とすることで、パネルユニット１の位置調整を簡易に且つスムーズに行うことができ、パネルユニット１を取付け対象の所定位置に精度よく位置決めして固定できる。下部フレーム材４は、Ｌ字状に形成され、下壁部４ａの上面がパネルユニット１の下端面を受け止め支持可能な受け面として構成されている。これにより、パネルユニット１の下端面を下部フレーム材４の下壁部４ａにて受け止め支持しながら、パネルユニット１の位置調整を行うことができ、パネルユニット１の建ち精度も含めた位置決めを適切に行える。しかも、パネルユニット１の上端側では、先行して躯体１００に第４中間材１５を取付けており、第４中間材１５には、パネルユニット１の前面側を向く縦壁部１５ａ（図３、図６参照）が備えられているので、縦壁部１５ａに対してパネルユニット１の上部フレーム材３を当て付けることで、パネルユニット１の前後方向での位置調整を行うことができ、パネルユニット１の位置決めをより一層簡易に且つ精度よく行える。
【００３０】
下部フレーム材４にパネルユニット１を組み付ける際に、図６及び図７に示すように、パネルユニット１の後面側の下方側部位に設けられた板状の引っ掛け部材１６を下部フレーム材４に引っ掛ける。引っ掛け部材１６のパネルユニット１への取付けは、ユニット取付け作業よりも先行して、地組作業にて行う。引っ掛け部材１６は、パネルユニット１の横幅方向に間隔を隔てる状態で複数枚の壁板２の夫々に対応して配設されている。引っ掛け部材１６は、ボルトナット等の締結具１１（図２、図３参照）にてパネルユニット１の後面側に固定する。
【００３１】
引っ掛け部材１６は、その上端部がパネルユニット１の後面部に固定され、下方側に延びる部位がパネルユニット１の後面部との間に隙間を形成する状態で後方側に屈曲する形状に形成されている。下部フレーム材４に対してパネルユニット１を上方側から下方側に移動させることで、引っ掛け部材１６とパネルユニット１の後面部との間の隙間に下部フレーム材４の後壁部４ｂを嵌合させる。この嵌合状態では、引っ掛け部材１６とパネルユニット１の後面部とで下部フレーム材４の後壁部４ｂを挟み込む状態となり、パネルユニット１の位置ずれを抑制しながら、下部フレーム材４にパネルユニット１を組み付けることができる。
【００３２】
ユニット取付け作業としては、例えば、図７（ａ）に示すように、パネルユニット１をその上部側が下方側よりも少し前面側に位置する傾斜姿勢とし、先行して躯体１００に取り付けた下部フレーム材４に対して、パネルユニット１を上方側から下方側に移動させることで、下部フレーム材４の下壁部４ａ上にパネルユニット１の下面部を載置させる。このとき、パネルユニット１の後面側の引っ掛け部材１６を下部フレーム材４に引っ掛ける。例えば、締結具１１を予め少し緩めておくことで、引っ掛け部材１６とパネルユニット１の後面部との間の隙間が広がり、引っ掛け部材１６を下部フレーム材４に引っ掛け易くなる。下部フレーム材４の下壁部４ａ上にパネルユニット１の下面部を載置させた状態で、パネルユニット１の下面部を支点とするパネルユニット１の揺動や後方側への移動等を行い、第４中間材１５の縦壁部１５ａに対してパネルユニット１の上部フレーム材３を当て付け、パネルユニット１の建ち姿勢を調整する。そして、図７（ｂ）に示すように、緩めておいたパネルユニット１の下方側の締結具１１を締結することで、引っ掛け部材１６とパネルユニット１の後面部とで下部フレーム材４の後壁部４ｂを挟み込み、パネルユニット１の位置ずれを抑制し、溶接等により上部フレーム材３を複数の第４中間材１５の夫々に固定することで、パネルユニット１を躯体１００に適切に固定できる。
【００３３】
ここで、下部フレーム材４に対するパネルユニット１の下方移動は、例えば、ホイストや人為操作力によって対象物を吊上げ及び引寄せ可能なレバーブロック（登録商標）等の運搬機械を用いて行うことができる。そこで、ホイストや人為操作式の運搬機械を建物の梁等に固定し、揚重機１９にて所定位置付近までパネルユニット１を吊上げて、揚重機１９から運搬機械にパネルユニット１を掛け替えることで、揚重機１９の拘束時間の短縮化を図ることができる。
【００３４】
〔別実施形態〕
（１）上記実施形態では、上部フレーム材３をパネルユニット１に取付け、下部フレーム材４を躯体１００の所定位置に先行して取付けているが、逆に、下部フレーム材４をパネルユニット１に取付け、上部フレーム材３を躯体１００の所定位置に先行して取付けることもできる。また、例えば、パネルユニット１の上下方向の中間部に、複数枚の壁板に亘る状態で中間フレーム材を設ける場合には、この中間フレーム材にてパネルユニット１の一体化を図り、上部フレーム材３及び下部フレーム材４を躯体１００の所定位置に先行して取付けることもできる。
【００３５】
つまり、複数のフレーム材の一部をパネルユニット１に取付けるとともに、複数のフレーム材１の残部を躯体の所定位置に先行して取付けるものであればよく、複数のフレーム材のうち、どのフレーム材を、パネルユニット１に取付けるか、又は、躯体１００の所定位置に先行して取付けるかの選択は適宜変更可能である。
【００３６】
（２）上記実施形態において、連結フレーム材９を省略することもできる。また、逆に、パネルユニット１を一体化するフレーム材として、上部フレーム材３、下部フレーム材４、連結フレーム材９に加えて、別のフレーム材を設けることもできる。
【００３７】
（３）上記実施形態において、下地材６を先行してパネルユニット１に取付けているが、例えば、パネルユニット１を躯体１００に取付けた後、下地材６をパネルユニット１に取付けることもできる。また、パネルユニット１として、下地材６を省略することもでき、下地材６を設けるものに限らない。
【符号の説明】
【００３８】
１          パネルユニット
２          壁板
３          上部フレーム材
４          下部フレーム材
４ａ        下壁部（受け面）
１００      躯体
【図１】
0006624812.tif 000002
【図２】
0006624812.tif 000003
【図３】
0006624812.tif 000004
【図４】
0006624812.tif 000005
【図５】
0006624812.tif 000006
【図６】
0006624812.tif 000007
【図７】
0006624812.tif 000008